(57)【要約】      （修正有）【課題】ゴルフクラブのグリップ力を維持しつつ、グリップフィーリングを向上させることのできるゴルフ用グローブを提供する。【解決手段】複数の型材２０、３０が縫い合わせられて形成されたゴルフ用グローブ１０において、中指、薬指の両側部及び小指の薬指側の側部にハギ６０を介在させて指の甲側の型材２０と掌側の型材３０とを縫い合わせて形成された握り指部１２、人差し指の甲側の型材に掌側の型材を人差し指の甲側で縫い合わせて形成された人差し指部１４を備え、ゴルフクラブのグリップ力を維持しつつ、グリップフィーリングを向上させる。【選択図】図１
0003169404.tif 000002
【実用新案登録請求の範囲】
【請求項１】
手の甲側の型材と掌側の型材とが人差し指の親指側で連続する基本型材に複数の型材が縫い合わせられて形成されたゴルフ用グローブにおいて、
中指、薬指の両側部及び小指の薬指側の側部にハギを介在させて指の甲側の型材と掌側の型材とを縫い合わせて形成した握り指部と、
人差し指の甲側の型材と掌側の型材とを直接縫い合わせて形成した人差し指部と、
を備えることを特徴とするゴルフ用グローブ。
【請求項２】
前記人差し指の甲側の型材と前記掌側の型材とを人差し指の側部の甲側位置で縫い合わせたことを特徴とする請求項１に記載のゴルフ用グローブ。
【請求項３】
前記人差し指の甲側の型材と前記掌側の型材とを人差し指の甲部領域で縫い合わせたことを特徴とする請求項１に記載のゴルフ用グローブ。
【考案の詳細な説明】
【技術分野】
【０００１】
本考案は、ゴルフ用グローブ、特に、複数の型材を縫い合わせて形成されたゴルフ用グローブに関する。
【背景技術】
【０００２】
一般的に、図８（ａ）及び（ｂ）に示すように、ゴルフ用グローブ１００は、人差し指、中指、薬指及び小指の部分が、指の甲側の型材と指の掌側の型材との間に中間材のハギ１０２を介在させて縫い合わせられることで形成される。すなわち、中指、薬指の両側部及び人差し指の中指側の側部、小指の薬指側の側部にハギ１０２が位置するように形成されている。このようなゴルフ用グローブ１００は、ハギ１０２を介在させることによって、ゴルフクラブのグリップ部を握る際に、指の屈曲をより容易にしている。
【０００３】
なお、ゴルフクラブを握った際のハギの縫い目の違和感を解消するための技術として特許文献１があり、各指の甲側の型材と掌側の型材とをハギを介在させずに直接縫い合わせたゴルフ用グローブが開示されている。これにより、ゴルフクラブを握った際のハギの縫い目の違和感を解消し、ゴルフ用グローブの装着感の向上を図っている。
【先行技術文献】
【特許文献】
【０００４】
【特許文献１】実開平３−７３１７８号
【考案の概要】
【考案が解決しようとする課題】
【０００５】
ゴルフクラブの一般的な握り方としては、例えば右利きの場合を例に取ると、左手の人差し指と右手の小指とを互いに絡ませるインターロッキンググリップや、左手の人差し指と中指の間に右手の小指を被せるオーバラッピンググリップが知られている。これら何れの握り方をする場合であっても、利き腕側、すなわち右手の小指がグローブを装着している左手の人差し指と接触する状況が生じ、グローブに存在する縫い目が右手（利き腕側の手）の人差し指に触れ、グリップ感を低下させている状況がある。また、ゴルフクラブを握る際には、左手（利き腕とは逆の手）の中指、薬指及び小指による強いグリップ力も基本的に要求される。
【０００６】
上記特許文献１に記載されたゴルフ用グローブは、上述のように、ハギを省略して複数の縫い目を無くして装着感の向上を図ろうとしている。しかし、各指の甲側の型材と掌側の型材とを直接縫い合わせただけのゴルフ用グローブでは、どのような握り方をする場合であっても、ゴルフクラブを握る際にゴルフ用グローブの形状に抗してグリップする際の力は、ハギを用いて作成したグローブの場合よりもより大きな力が必要となる。従って、一般的に力のない女性や子供にとっては、スイング時のグリップ力の低下やグリップ感の悪化が生じると推測される。
【０００７】
本考案は、上記課題に鑑みてなされたものであり、その目的は、ゴルフクラブのグリップ力を維持しつつ、グリップフィーリングを向上させることのできるゴルフ用グローブを提供することにある。
【課題を解決するための手段】
【０００８】
上記課題を解決するための請求項１に記載の考案によるゴルフ用グローブは、手の甲側の型材と掌側の型材とが人差し指の親指側で連続する基本型材に複数の型材が縫い合わせられて形成されたゴルフ用グローブにおいて、中指、薬指の両側部及び小指の薬指側の側部にハギを介在させて指の甲側の型材と掌側の型材とを縫い合わせて形成した握り指部と、人差し指の甲側の型材と掌側の型材とを直接縫い合わせて形成した人差し指部と、を備えることを特徴とする。
【０００９】
この構成によれば、人差し指部が、甲側の型材と掌側の型材とが直接縫い合わせられてハギを省略して形成されていることから、ハギを縫い合わせるための縫い目は解消されている。したがって、例えば右利きの場合であれば、上記のインターロッキンググリップやオーバラッピンググリップによって右手の小指が左手の人差し指の側部領域に接触しても、縫い合わせ部分が右手の小指に接触することがなく、右手の小指に違和感を生じさせることがなくなる。従って、グリップフィーリングが向上する。
【００１０】
一方、中指、薬指及び小指に相当する指部にはハギが存在することから、上記いずれの握り方によっても、中指、薬指及び小指の屈曲に対して握り指部の追従性が確保される。従って、強いグリップ力が要求される中指、薬指及び小指によるゴルフクラブの高いグリップ力を維持することができる。
【００１１】
請求項２に記載の考案によるゴルフ用グローブは、請求項１に記載のゴルフ用グローブにおいて、前記人差し指の甲側の型材と前記掌側の型材とを人差し指の側部の甲側位置で縫い合わせたことを特徴とする。請求項３に記載の考案によるゴルフ用グローブは、請求項１に記載のゴルフ用グローブにおいて、前記人差し指の甲側の型材と前記掌側の型材とを人差し指の甲部領域で縫い合わせたことを特徴とする。
【００１２】
請求項２及び請求項３の構成によれば、人差し指部は、人差し指の側部の一カ所において縫い合わせられることとなるが、この縫い合わせの部分が右手の小指に極力接触しないように、人差し指の側部の甲側位置、あるいは人差し指の甲部領域に形成することで、グリップフィーリングを向上させることができるという請求項１の作用を効果的に達成することができる。
【考案の効果】
【００１３】
この考案によると、インターロッキンググリップ、オーバラッピンググリップなど、何れの握り方でゴルフクラブを握っても、ゴルフ用グローブの人差し指部の縫い合わせ部分が右手の小指に強く接触することがなくなることから、右手の小指及び左手の人差し指に違和感を生じさせることがなくなる。従って、ゴルフクラブのグリップ力を高めるというゴルフ用グローブの本来の目的を達成しつつゴルフクラブのグリップフィーリングを向上させることができる。
【図面の簡単な説明】
【００１４】
【図１】本実施の形態に係るゴルフ用グローブの甲側からみた概略を説明する図である。
【図２】図１のＡ矢視図である。
【図３】本実施の形態に係るゴルフ用グローブの掌側からみた概略を説明する図である。
【図４】同じく、本実施の形態におけるゴルフ用グローブを展開した状態における甲部、甲側指部、掌部、掌側人差し指部の概略を説明する図である。
【図５】本実施の形態に係るゴルフ用グローブの親指部の概略を説明する展開図である。
【図６】本実施の形態に係るゴルフ用グローブの掌側指部の概略を説明する展開図である。
【図７】本実施の形態に係るゴルフ用グローブのハギの概略を説明する展開図である。
【図８】従来のゴルフ用グローブの概略を説明する図である。
【考案を実施するための形態】
【００１５】
次に、図１〜図７を参照して本考案の実施の形態について説明する。なお、本考案の一実施の形態として、ゴルフ用グローブが、左手に装着される右利き用のゴルフ用グローブである場合を例として説明する。
【００１６】
図１は、本考案の実施の形態に係るゴルフ用グローブの甲側からみた概略を説明する図、図２は、図１のＡ矢視図、図３は、ゴルフ用グローブの掌側からみた概略を説明する図である。図示のように、ゴルフ用グローブ１０は、基本型材１１に複数の型材が縫い合わせられて形成されており、本実施の形態では、基本型材１１は、手の甲側を覆う甲側型材２０及び手の掌側を覆う掌側型材３０を主要構成として備える。このゴルフ用グローブ１０は、本実施の形態では、中指、薬指の両側部及び小指の薬指側の側部にハギ６０を介在させて指の甲側型材２０と掌側型材３０とを縫い合わせて形成された握り指部１２、及び人差し指の甲側の甲側型材２０に掌側の掌側型材３０を人差し指の甲側で縫い合わせて形成された縫合部１４ａを有する人差し指部１４を備える。更に、人差し指部１４と隣接して、親指型材４０によって構成された親指部１６を備える。
【００１７】
上記構成を有するゴルフ用グローブ１０が、左手に嵌められた状態で、ゴルフ用グローブ１０を手首に固定するための固定バンド１８を甲側型材２０に接合させることによって、ゴルフ用グローブ１０が左手に装着される。
【００１８】
上記構成を有するゴルフ用グローブ１０によると、図２において特徴的に示されているように、人差し指部１４にハギを縫い合わせるための縫い目が省略され、人差し指の甲側の甲側型材２０に掌側の掌側型材３０が人差し指の甲側で縫い合わせられている。従って、左手の人差し指と右手の小指とを互いに絡ませるインターロッキンググリップを行う場合や、左手の人差し指と中指との間に右手の小指を被せるオーバラッピンググリップを行う場合であっても、縫合部１４ａが右手の小指に強く接触することがなく、右手の小指に違和感を生じさせることがなくなる。更に、ゴルフ中にゴルフ用グローブの人差し指部がねじれても縫合部が人差し指の掌側に接触することがなくなり、違和感を生じさせることがなくなる。その結果、グリップフィーリングが向上する。
【００１９】
一方、図１及び図２において特徴的に示されているように、ゴルフクラブを握る際に強いグリップ力が要求される中指、薬指及び小指を覆う握り指部１２は、ハギ６０を介在させて形成されている。従って、上記のいずれの握り方をしても、中指、薬指及び小指の屈曲に対して握り指部１２の追従性が確保される。その結果、強いグリップ力が要求される左手の中指、薬指、小指によるゴルフクラブの高いグリップ力を維持することができる。従って、本実施の形態に係るゴルフ用グローブ１０によると、ゴルフクラブのグリップ力を維持しつつ、グリップフィーリングを向上させることが可能となる。
【００２０】
次に、本実施の形態におけるゴルフ用グローブ１０の各部の構成について説明する。
【００２１】
図４は、ゴルフ用グローブ１０を展開した状態における甲側型材２０及び掌側型材３０の概略を説明する図である。図示のように、甲側型材２０と掌側型材３０とは、折り返し線Ｆ１を介して一体形成された皮革製であって、甲側型材２０は、折り返し線Ｆ１から離反する方向に延在して形成された本体部２２、本体部２２から連続して形成された甲側指部構成部２４及び甲側人差し指部構成部２６を備える。この本体部２２には、固定バンド１８を本体部２２に固定する図示しない面ファスナを取り付ける面ファスナ取付範囲２２ａが設定され、面ファスナ取付範囲２２ａの上方には、サービスホール２２ｂが切り欠き形成される。
【００２２】
甲側指部構成部２４は、中指、薬指及び小指の甲側を覆う甲側中指部構成部２４Ａ、甲側薬指部構成部２４Ｂ及び甲側小指部構成部２４Ｃを有する。これら甲側中指部構成部２４Ａ、甲側薬指部構成部２４Ｂ及び甲側小指部構成部２４Ｃには、通気性を確保するための複数の貫通孔２４ａが形成されている。
【００２３】
甲側人差し指部構成部２６は、人差し指の甲側に倣った形状の外縁部を有して形成され、通気性を確保するための複数の貫通孔２６ａが形成されている。
【００２４】
一方、掌側型材３０は、折り返し線Ｆ１から離反する方向に延在して形成された本体部３２、本体部３２と連続するとともに折り返し線Ｆ１を介して甲側人差し指部構成部２６から連続する掌側人差し指部構成部３４を備える。本体部３２は、親指部１６が縫い合わせられる親指部取付部３２ａが切り欠いて形成されている。なお、折り返し線Ｆ１は実体として存在している線ではなく、形態の説明のために仮想的に示したものである。
【００２５】
掌側人差し指部構成部３４は、本体部３２から連続し、この連続する部分の付け根部３４ａ及び付け根部３４ａから指先部３４ｂまで延びるとともに、折り返し線Ｆ１を介して甲側人差し指部構成部２６から連続して形成されている。本実施の形態では、掌側人差し指部構成部３４は、掌側人差し指部構成部３４の指先部３４ｂから付け根部３４ａに移行するに従って折り返し線Ｆ１から離反する方向に漸次延在する第１外縁部３４ｃを有するとともに、屈曲部３４ｄを介して屈曲部３４ｄから掌側人差し指部構成部３４の付け根部３４ａ側に漸次近接する第２外縁部３４ｅを有して形成される。
【００２６】
図５は、ゴルフ用グローブ１０を展開した状態における親指型材４０の概略を説明する図である。図示のように、親指型材４０は、外縁が取付範囲４８となる基部４２及び基部４２から連続する甲側親指部構成部４４及び掌側親指部構成部４６を有して形成される。この甲側親指部構成部４４と掌側親指部構成部４６とは、折り返し線Ｆ２を介して連続して形成されている。
【００２７】
図６は、ゴルフ用グローブ１０を展開した状態における掌側指部構成型材５０の概略を説明する図である。図示のように、掌側指部構成型材５０は、基部５２及び基部５２から連続して形成されて中指、薬指及び小指の掌側を覆う掌側中指部構成部５４、掌側薬指部構成部５６及び掌側小指部構成部５８を備える。
【００２８】
図７は、ハギ６０の概略を説明する展開図である。図示のように、ハギ６０は、一対の中指ハギ６２−１及び６２−２、一対の薬指ハギ６４−１及び６４−２、小指ハギ６６を備える。これら各ハギはそれぞれ、各指の指先側の先端６２ａ、６４ａ及び６６ａ、各指の付け根側の基端６２ｂ、６４ｂ及び６６ｂを有して形成される。
【００２９】
次に、ゴルフ用グローブ１０が製造される手順について説明する。
【００３０】
ゴルフ用グローブ１０の製造に際しては、甲側型材２０の本体部２２における面ファスナ取付範囲２２ａに図示しない面ファスナが予め取り付けられ、掌側型材３０の外縁に固定バンド１８が予め取り付けられているものとする。
【００３１】
まず、親指型材４０が、甲側親指部構成部４４に対して掌側親指部構成部４６が折り返し線Ｆ２において折り返されて重ね合わせられて縫合されて、親指部１６が構成される。そして、ゴルフ用グローブ１０の内面となる掌側型材３０における本体部３２の裏面から掌側型材３０の親指部取付部３２ａに親指部１６が挿入され、親指部１６の取付範囲４８と掌側部材３０の親指部取付部３２ａとが縫合される。
【００３２】
この状態で、甲側型材２０に対して折り返し線Ｆ１を介して掌側型材３０が折り返されて、甲側型材２０と掌側型材３０とが重ね合わせられる。すなわち、甲側型材２０の甲側人差し指部構成部２６と掌側型材３０の掌側人差し指部構成部３４とが重ね合わせられる。そして、甲側人差し指部構成部２６における甲側中指部構成部２４Ａ側の外縁部に掌側人差し指部構成部３４の第１外縁部３４ｃが縫合されることで、左手の人差し指の甲側に縫合部１４ａが形成されて、人差し指部１４が構成される。
【００３３】
続いて、掌側指部構成型材５０が掌側型材３０の掌側人差し指部構成部３４に隣接して配置され、甲側中指部構成部２４Ａの指先側の両側部と掌側中指部構成部５４の指先側の両側部との間に、一対の中指ハギ６２−１及び６２−２を、その先端６２ａ側が指先側となるように介在させる。この状態で、甲側中指部構成部２４Ａと掌側中指部構成部５４ｃとが、一対の中指ハギ６２−１及び６２−２を介して縫合されて、中指部が構成される。
【００３４】
同様に、甲側薬指部構成部２４Ｂの指先側の両側部と掌側薬指部構成部５６の指先側の両側部との間に、一対の薬指ハギ６４−１及び６４−２を、その先端８４ａ側が指先側となるように介在させる。この状態で、甲側薬指部構成部２４Ｂと掌側薬指部構成部５６とが、一対の薬指ハギ６４−１及び６４−２を介して縫合されて、薬指部が構成される。
【００３５】
更に、甲側小指部構成部２４Ｃの薬指側の指先側と掌側小指部構成部５８の薬指側の指先側との間に、小指ハギ６６を、その先端６６ａ側が指先側となるように介在させる。この状態で、甲側小指部構成部２４Ｃにおける薬指側と掌側小指部構成部５８における薬指側とが、小指ハギ６６を介して縫合されるとともに、甲側小指部構成部２４Ｃにおける外方側と掌側小指部構成部５８における外方側とが直接縫合されて、小指部が構成される。
【００３６】
これら中指部、薬指部及び小指部によって、握り指部１２が構成される。
【００３７】
上記製造手順によって、ゴルフ用グローブ１０が構成される。このゴルフ用グローブ１０は、甲側型材２０、掌側型材３０と同様に、親指型材４０及び掌側指部構成型材５０も人工皮革または皮革によって形成され、ハギ６０が、柔軟性かつ伸縮性の高い布地または人工皮革、あるいは皮革によって形成されている。
【００３８】
このゴルフ用グローブ１０を左手に嵌めて固定バンド１８を甲側型材２０の面ファスナ取付範囲２２ａに取り付けられた面ファスナに接合させることによって、ゴルフ用グローブ１０が左手に装着される。この状態で、左手の人差し指と右手の小指とを互いに絡ませるインターロッキンググリップを行う場合に、人差し指部１４が、掌側人差し指部構成部３４が人差し指の甲側で甲側人差し指部構成部２６に縫い合わせられて縫合部１４ａを形成することから、縫合部１４ａが右手の小指に強く接触することがなく、右手の小指に違和感を生じさせることがなくなる。更に、ゴルフ中にゴルフ用グローブの人差し指部がねじれても、縫合部が人差し指の掌側に接触することがなくなり、違和感を生じさせることがなくなる。その結果、グリップ時のフィーリングが向上する。
【００３９】
左手の人差し指と中指との間に右手の小指を被せるオーバラッピンググリップを行う場合であっても、上記同様、右手の小指に違和感を生じさせることがなくなり、グリップ時のフィーリングが向上する。
【００４０】
一方、中指、薬指及び小指を覆う各指部にはハギ６０が存在することから、いずれの握り方によっても、中指、薬指及び小指の屈曲に対して各指部の追従性が確保される。その結果、強いグリップ力が要求される左手の中指、薬指、小指によるゴルフクラブの高いグリップ力を維持することができる。
【００４１】
従って、本実施の形態に係るゴルフ用グローブ１０によると、ゴルフクラブのグリップ力を維持しつつ、グリップ時のフィーリングを向上させることが可能となる。
【００４２】
なお、本考案は上記実施の形態に限定されることはなく、考案の趣旨を逸脱しない範囲で種々変更可能である。上記実施の形態では、ゴルフ用グローブが、左手に装着される右利き用のゴルフ用グローブである場合を例として説明したが、右手に装着される左利き用のゴルフ用グローブであってもよい。
【００４３】
上記実施の形態では、縫合部１４ａが人差し指の側部の甲側位置に形成された場合を説明したが、例えば、甲側人差し指部構成部２６の指幅を狭小に形成するとともに掌側人差し指部構成部３４の指幅を広く形成することにより、縫合部を人差し指の甲部領域に形成することもできる。
【００４４】
本実施の形態に係るゴルフ用グローブは、通常のゴルフに限定されず、パターゴルフやパークゴルフに用いられるゴルフ用グローブであってもよい。
【符号の説明】
【００４５】
１０  ゴルフ用グローブ
１１  基本型材
１２  握り指部
１４  人差し指部
１４ａ  縫合部
１６  親指部
２０  甲側型材
２４  甲側指部構成部
２６  甲側人差し指部構成部
３０  掌側型材
３４  掌側人差し指部構成部
４０  親指型材
５０  掌側指部構成型材
６０  ハギ
【図１】
0003169404.tif 000003
【図２】
0003169404.tif 000004
【図３】
0003169404.tif 000005
【図４】
0003169404.tif 000006
【図５】
0003169404.tif 000007
【図６】
0003169404.tif 000008
【図７】
0003169404.tif 000009
【図８】
0003169404.tif 000010